(57)【特許請求の範囲】
【請求項１】
先軸と中軸の先方を互いに回転不能且つ抜け止め状態に固定し、中軸に一体化したガイド部の複数の案内溝に、夫々筆記体をガイド部と摺動コマとの間にリターンスプリングを附勢して前後動自在に嵌装し、軸方向に変位するカム斜面を摺動コマの後面又はカム部の前面に有して、カム部をガイド部又は中軸に対し回転可能に抜け止めし、各摺動コマとカム部をカム斜面で当接させることにより先軸又は中軸に対するカム部の回転によって交互に前後動させて、各筆記体の先端を先軸の先端口から選択的に出没可能とした複式筆記具に於いて、後軸後端の天冠後端孔に消しゴムと適宜摩擦係合する孔部を有して、カム部の後方に消しゴム収容部と共にチャック体が一体に形成され、後軸に対しカム部及びチャック体が抜け止め且つ回転止めされた状態でチャック体に対し後軸が軸推移可能と成されると共に、チャック体の前方と後軸後端の内段との間にスプリングが敷設されて、チャック体後端の把持部外周に被嵌された締め具の前端が後軸後端に当接してチャック体の把持部が締め込まれることによって消しゴムが把持され、後軸の軸推移に伴い締め具が天冠内孔の段部に当接する可動範囲で締め具が把持部から係脱して、締め具の可動範囲と略同等のピッチで消しゴムが天冠後端孔から繰り出し可能となる複式筆記具。
【請求項２】
少なくとも一本をシャープペンシル筆記体として、中軸に対しカム部、チャック体、後軸が連動して軸推移可能と成されたことを特徴とする上記請求項１記載の複式筆記具。
【発明の詳細な説明】
【０００１】
【産業上の利用分野】
本発明は、複数の筆記体の先端を先軸先端口に於いて交互に出没自在とし、且つ後軸の後端から消しゴムを出没自在とした複式筆記具の提供に関する。
【０００２】
【従来の技術】
従来、複式筆記具の一例としては、同出願人による実開昭６４ー３４９１号公報に見られるように、２本の筆記体を案内する摺動溝を有して先軸に対し固着されるガイド筒と、当該ガイド筒に嵌装される二本の筆記体に取付けられた摺動コマに接するカム斜面を前端部に有すると共に、後端はノック部となしてキャップに対し軸方向に移動自在に、且つ円周方向の回転は一体となるよう装着された円筒カムを備え、先軸に対するキャップの回転操作により二本の筆記体を先軸先端口に於いて選択的に出没可能とした複式筆記具が存在する。又、本願の引用例として、同出願人による実開昭６０ー１２０８８９号公報に見られるように、キャップ後端から突出した天冠を回転させて消しゴムを出没させるようにした複式筆記具が存在する。
【０００３】
【発明が解決しようとする課題】
上記の引用例には、多くの部位に金属部品が使用され、構造も複雑で、部品点数も多くなりコスト高となる問題点がある。
【０００４】
【課題を解決するための手段】
上記の課題を解決する為に案出された本発明の複式筆記具は、樹脂製の先軸と樹脂製の中軸の先方を互いに回転不能且つ抜け止め状態に嵌着する係合部を夫々設けて両者を固定したこと。中軸に一体化したガイド部と中軸の後方側面に縦溝と周溝を巾狭部を通じて接続した略Ｌの字状の窓部が穿設され、ガイド部に設けた複数の案内溝に摺動コマを後端に止着した少なくとも一本をシャープペンシル筆記体とした複数の筆記体をリターンスプリングを介して夫々前後動自在に嵌装し、軸方向に変位するカム斜面を前端部に円周状に設けたカム部の側面に突起を設けて、突起を周溝に弾性的に嵌入させてガイド部ならびに中軸に対してカム部を一定範囲で回転且つ軸推移可能に抜け止めし、先軸又は中軸に対するカム部の回転によって各摺動コマを前後方向に交互に移動させて各筆記体の、先端を先軸先端口より選択的に出没自在とし、シャープペンシルの選択時のみに於いてカム部を軸推移して芯を繰り出す。又、カム部の後方に消しゴム収容部と共にチャック体を一体的に成して、チャック体の把持部の外周に締め具を配して、チャック体の外側に後端に天冠を固着した後軸が回転止めされた状態でチャック体に対しスプリングで後方に附勢されて、シャープペンシル使用時に後軸の後端をノックすることでチャック体、カム部が連動して芯の繰り出しを可能とする。又、シャープペンシルを収納した状態で、中軸に対し後軸を軸推移させて消しゴムを出没させる。
以上により、本願複式筆記具は部品点数が省略され構造が簡単なので、組み立てが容易となりコストダウンが可能となる。
【０００５】
【実施例】
先ず、図１及び図３は本発明の実施例を示している。実施例の複式筆記具はガイド部２を一体に備えた中軸１、先軸３、チャック体３９を一体的に有したカム部５、一対の摺動コマ６、６｀、シャープペンシル筆記体７、ボールペン等筆記体８、後軸４、天冠３４、消しゴム４２を主な構成要素とする。先ず、中軸１は樹脂製で、図１に示すように、略中央部から後端まで側面に開口した軸方向に長い案内溝９とそれと反対側の側面に同様の案内溝９｀を有したガイド部２が設けられている。ガイド部２の前半部には各案内溝９、９｀と連通して孔３３、３３｀を有した仕切り部１６を備えて前端を開口した筒部１０が設けられ、筒部１０の後端に段部３２を有して段部３２の前方外周部には膨出状の係合部１３が形成されている。（尚、螺子部であってもよい）
【０００６】
又、中軸１の後方側面には図２に示すように縦溝１８が先方の傾斜面４４を介して巾狭部４５が周溝１９に接続されて略Ｌの字状の窓部が穿設されている。又、後述するが、カム部５の突起１７は縦溝１８より挿入され、突起１７が傾斜面４４を弾性的に拡開して巾狭部４５を通過して周溝１９内に入る。カム部５は、突起１７が周溝１９の周方向の後壁に当接しながら回転して、シャープペンシル筆記体７又はボールペン等筆記体８の筆記部が先軸先端口から交互に出没することになる。又、周溝１９はシャープペンシル筆記体７が突出するときの突起１７の位置でカム部５が軸推移可能なように巾広溝４６が設けられ、筆記体の収納時又はボールペン等筆記体８が突出するときの突起１７の位置でカム部５が略軸推移不可となるように周溝１９の後壁４８ａと後壁４８ｃとの間に傾斜面４８ｂが接続されて巾狭溝４７が設けられている。
【０００７】
先軸３は、前方が先細状で、内孔部先端には内段部２８を有して先端口が設けられている。又、後端孔には、前記ガイド筒の筒部１０の外周部に設けられた係合部１３と迎合して筒部１０と抜け止め且つ回転止めされる係合溝１２が設けられている。尚、筒部１０と先軸３は適宜な力で着脱可能に固定される。（実開昭６４ー３４９１号公報の先軸の構成と同じであるが、螺子部であってもよい）
【０００８】
カム部５は筒状を成し、前端縁に円周状に前後に変位するカム斜面１４を有し、カム斜面１４の最前端部には切欠１５が形成されている。又、カム部５の側面には前記中軸１の縦溝１８に挿入して弾性的に周溝１９に嵌入して一定範囲（略１８０度）で回転且つ抜け止めする突起１７が形成されている。
【０００９】
又、前記カム部５の後方に鍔部２０が形成され、さらに後方にチャック体３９が夫々一体に形成されている。（都合で別部材とすることもある）
又、チャック体３９後方の外周部には適宜スリットを有して（図示せず）、縮径自在な把持部が形成されている。又、チャック体３９の内孔前端には内段部４１が形成されている。
【００１０】
又、摺動コマ６は、外面に突起２３を有して、突起２３の後端面には中央部が突出してその両側が前述したカム部５のカム斜面１４と略同勾配のカム斜面を有している。又、芯パイプ２４のフランジ部２５に当接して、芯パイプ２４の後方を長く突出して嵌着する孔が設けられている。又、摺動コマ６｀は摺動コマ６と同様に突起２３｀とカム斜面を有し、先端にはボールペン等筆記体８の後端を止着する係止部２７が設けられている。尚、係止部はパイプ状に成して筆記体の後端を嵌着することも可能である。
【００１１】
シャープペンシル筆記体７は、一般的なチャック機構を内蔵し、後端にチャック機構と連結した継ぎ手３０を介して芯パイプ２４に接合し、芯パイプ２４の後方に設けたフランジ部２５に当接して摺動コマ６が嵌着され、摺動コマ６の後端から突出した芯パイプ２４の後端孔は尾栓２６等で閉塞されている。芯の繰り出しは、シャープペンシル筆記体７の先端の段部２９が先軸３の内段部２８に当接した状態で、摺動コマ６の軸推移によりチャックを移動して行われる。
【００１２】
一方、後軸４は、後端の軸部３５の外周に突状の係止部３６を有し、略中間の内孔に突部２２を有している。又、該突部２２の前後で内孔は断面が適宜多角形状の内周部２１ａ、２１ｂを呈している。ところで、前記カム部５後方の鍔部２０の外周は上記多角形孔に嵌装する同じ多角形状を呈している。
前記チャック体３９の後端からスプリング４３が嵌装され、スプリング４３の前端が鍔部２０の後端に当接される。その状態からチャック体３９に後軸４が嵌挿され、軸部３５の後端内段部にスプリング４３の後端が当接されて、上記鍔部２０が後軸の突部２２を弾性的に乗り越えて係合し抜け止めされる。又、鍔部２０が上記多角形状の嵌装で回転止めされると共にスプリング４３でチャック体３９に対し後軸４は軸推移可能に附勢される。
【００１３】
又、チャック体３９後端の把持部外周には締め具４０が被嵌され、更に被嵌して前記後軸の軸部３５に天冠３４が固着される。尚、天冠３４の先方開口部には軸部の係止部３６に係合する溝状の係止部３７が設けられている。又、締め具４０が嵌装する天冠３４の内孔後端に段部３４ａが設けられ、後端には消しゴム４２と適宜摩擦係合する孔部３４ｂを有している。又、天冠３４外周の一側面にクリップ３８が基部３８｀で一体的に接続されている。
【００１４】
次に、組立順序で説明すると、シャープペンシル筆記体７、ボールペン等筆記体８は後端に夫々の摺動コマ６、６｀を接続させて、前述の中軸のガイド部２の各案内溝９、９｀に移動自在に嵌装され、各摺動コマ６、６｀の前端面と案内溝９、９｀前面の仕切り部１６との間に介装したリターンスプリング３１、３１｀により後方へ附勢される。
【００１５】
一方、チャック体３９の外周部にスプリング４３を嵌挿して、カム部５を後軸４の内孔に嵌装し、鍔部２０を突部２２に係合して後軸に対しカム部５及びチャック体３９を抜け止め且つ回転止めする。次に、チャック体の把持部の外周に締め具４０が嵌挿され、後軸の後端の軸部３５に天冠３４が固着される。
【００１６】
その状態から、カム部５を中軸１の後端孔に挿入して突起１７を周溝１９に弾性的に嵌入させて、中軸１に対して円周方向に１８０度で回転自在且つ抜け止めして止着する。又、シャープペンシル筆記体７が突出した状態で、カム部５は中軸１に対して芯繰り出しに必要なストローク分軸推移可能と成され、筆記体の収納時又はボールペン等筆記体８の突出した状態で、軸推移を不可と成される。各摺動コマ６、６｀は常時リターンスプリング３１、３１｀によって後方へ附勢されているので、常にその突起２３、２３｀のカム斜面をカム部５のカム斜面１４に接触した状態を保っている。
【００１７】
又、中軸１の段部３２の前面に先軸３の後端面が当接状態で、筒部１０の係合部１３が先軸３の係合溝１２に弾性的に嵌着して、先軸３と中軸１が回転止め且つ抜け止め状態に固定される。尚、先軸３は適宜な力で着脱可能になっている。この状態で、先軸３又は中軸１に対して後軸４を一方に回転すると、摺動コマ６が前進してカム部５のカム斜面１４の最前端の切欠１５が一方のシャープペンシル筆記体７の摺動コマ６の突起２３に係止して筆記先端部が先軸先端口から突出状態になる。又、先軸３又は中軸１に対して後軸４を他方に回転すると、摺動コマ６が後退してシャープペンシル筆記体７の筆記先端部が先軸先端口から没入すると共に、摺動コマ６｀が前進して他方のボールペン等筆記体８の筆記先端部が先軸先端口から突出する。
【００１８】
又、図３及び図４はカム部５の突起１７と中軸１｀の係合状態を示す他の対応例を示している。この場合には周溝５０に突起１７を嵌装する手段として、中軸１｀の後端から突起１７を嵌装するガイド溝５１の上壁に傾斜面５３を有した仕切り壁５２を設けている。仕切り壁５２を設けた理由は、上記係合部に於ける中軸１｀の剛性を強化することにある。
【００１９】
次に、チャック体３９に対し後軸４を前進させてチャック体の把持部を拡開させた状態で消しゴム４２が挿入される。
【００２０】
【作用】
先軸３又は中軸１に対して後軸４を一方に回転すると、図１に示すようにカム部５のカム斜面１４の先端に設けた切欠１５が一方のシャープペンシル筆記体７の摺動コマ６と係合してその筆記先端部を先軸先端口から突出する。この時、カム部５の突起１７は中軸１の周溝１９で巾広溝４６に位置している。この状態で天冠３４の後端をノックして連動するカム部５を軸推移すると、その動作が摺動コマ６、芯パイプ２４、シャープペンシル筆記体７に伝達され、筆記先端部の段部２９が先軸３の内段部２８に当接した状態から継ぎ手３０と共にチャックが軸推移して芯が繰り出される。
【００２１】
又、先軸３又は中軸１に対して後軸４を他方に回転すると、シャープペンシル筆記体７が後退し、代わりにボールペン等筆記体８の筆記先端部が先軸先端口から突出する。尚、筆記体収納時、ボールペン等筆記体の突出時に於いては、突起１７が周溝１９の巾狭溝４７に位置して、ノックして中軸１の後端に後軸４の内段部４１がガイド部２の後端に当接した状態で突起１７が周溝１９の前壁４９に当接しないように設定すれば突起１７等が破壊することはない。次に、クリップの基部３８｀の後端に指を当てて中軸１に対し後軸４を前進させると、カム部５の前進が阻止された状態からチャック体３９に対し後軸４が前進して消しゴム４２が天冠３４の孔部３４ｂから出没する。
即ち、締め具４０が天冠内孔の段部３４ａに当接する範囲でチャック体３９の把持部外周に係合して可動する。従って、締め具４０の可動範囲と略同等のピッチで消しゴム４２が孔部３４ｂから繰り出される。
【００２２】
【発明の効果】
本発明の複式筆記具は以上の構成によって、従来例に対し大幅に金属部品が樹脂に代替えされ、部品点数が省略されて構造が単純化され、且つ組立てが容易となるので大幅なコスト低減が達成される。
【図面の簡単な説明】
【図１】本発明の実施例を示す全体の縦断面図で、一部費断面となっている。
【図２】カム部の突起と中軸の周溝との係合状態を示す説明図である。
【図３】カム部の突起と中軸の周溝との係合状態の他の対応例を示す説明図である。
【図４】図３に於ける係合部の要部断面図である。
【符号の説明】
１  中軸
１｀  中軸
２  ガイド部
３  先軸
４  後軸
５  カム部
６  摺動コマ
６｀  摺動コマ
７  シャープペンシル筆記体
８  ボールペン等筆記体
９  案内溝
９｀  案内溝
１０  筒部
１１  ノックスプリング
１２  係合溝
１３  係合部
１４  カム斜面
１５  切欠
１６  仕切り部
１７  突起
１８  縦溝
１９  周溝
２０  鍔部
２１ａ  内面部
２１ｂ  内面部
２２  突部
２３  突起
２３｀  突起
２４  芯パイプ
２５  フランジ部
２６  尾栓
２７  係止部
２８  内段部
２９  段部
３０  継ぎ手
３１  リターンスプリング
３１｀  リターンスプリング
３２  段部
３３  孔
３３｀  孔
３４  天冠
３４ａ  段部
３４ｂ  孔部
３５  軸部
３６  係止部
３７  係止部
３８  クリップ
３８｀  基部
３９  チャック体
４０  締め具
４１  内段部
４２  消しゴム
４３  スプリング
４４  傾斜面
４５  巾狭部
４６  巾広溝
４７  巾狭溝
４８ａ  後壁
４８ｂ  傾斜面
４８ｃ  後壁
４９  前壁
５０  周溝
５１  ガイド溝
５２  仕切り壁
５３  傾斜面
【図１】
0003611215.tif 000002
【図２】
0003611215.tif 000003
【図３】
0003611215.tif 000004
【図４】
0003611215.tif 000005